(57)【要約】【課題】始動入賞スランプを根本的に抑制し、遊技者に与える心理的ストレスを取り除く。【解決手段】入口ＩＮから受入れた球を受入毎に第１出口Ｏ１と第２出口Ｏ２とに交互に振分ける球振分装置Ｓを、上段の一の出口Ｏ１から出た球を下段の入口ＩＮに受入させ且つ上段の他の出口Ｏ２から出た球を遊技盤２に放出させる態様にて、複数段について連結した球振分連結体Ｓｍと、最下段の終段球振分装置の一方側出口Ｏ１から出た球を相対的に高い確率により始動口Ａｈに向わせる第１球ルート３１と、終段球振分装置の他方側出口Ｏ２から出た球を相対的に低い確率により始動口Ａｈに向わせる第２球ルート３２を設けた。【選択図】図３
2015173926.tif 000002
【特許請求の範囲】
【請求項１】
遊技盤に、入球を契機に内部抽選を実行させる抽選契機口を有する弾球遊技機において、
前記遊技盤に、
入口から受入れた球を受入毎に第１出口と第２出口とに交互に振分ける球振分装置を、上段の球振分装置の一の出口から出た球を下段の球振分装置の入口に受入させ且つ上段の球振分装置の他の出口から出た球を前記遊技盤に放出させる態様にて、複数段について連結した球振分連結体と、
この球振分連結体の最下段に位置する終段球振分装置の一方側出口から出た球を相対的に高い確率により前記抽選契機口に向わせる第１球ルートと、
前記終段球振分装置の他方側出口から出た球を相対的に低い確率により前記抽選契機口に向わせる第２球ルートと
を設けたことを特徴とする弾球遊技機。
【請求項２】
遊技盤に、入球を契機に内部抽選を実行させる複数の抽選契機口を有する弾球遊技機において、
前記遊技盤に、
入口から受入れた球を受入毎に第１出口と第２出口とに交互に振分ける球振分装置を、上段の球振分装置の一の出口から出た球を下段の球振分装置の入口に受入させ且つ上段の球振分装置の他の出口から出た球を前記遊技盤に放出させる態様にて、複数段について連結した球振分連結体と、
この球振分連結体の最下段に位置する終段球振分装置の一方側出口から出た球を相対的に高い確率により一の抽選契機口に向わせる第１球ルートと、
前記終段球振分装置の他方側出口から出た球を相対的に低い確率により他の抽選契機口に向わせる第２球ルートと
を設けたことを特徴とする弾球遊技機。
【請求項３】
前記遊技盤の上部であって前記球振分連結体の最上段に位置する初段球振分装置の入口部に、この初段球振分装置に向けて流下させる球のうち予め定めた設定受入率を乗じた数の球を該初段球振分装置の入口に受入させる球受入ルートを設けている請求項１又は２記載の弾球遊技機。
【請求項４】
前記遊技盤に、前記内部抽選の当否を所定の図柄変動を経て導出させる演出表示装置を設けるセンターユニットを有し、このセンターユニットにおける前記演出表示装置の下部側に設けるセンターステージに、前記第１球ルートと前記第２球ルートとを変位させて設けている請求項１又は２若しくは３記載の弾球遊技機。
【請求項５】
前記球振分装置は、軸部に対して放射状に延びる垂直羽根と右下り羽根及び左下り羽根を有し、かつ、前記垂直羽根の右側から受入れた球を前記右下り羽根から第１出口に振分ける右振分姿勢と、前記垂直羽根の左側から受入れた球を前記左下り羽根から第２出口に振分ける左振分姿勢とを交互に切換える羽根車を備え、
前記終段球振分装置以外の羽根車の軸部を前記遊技盤の盤面に対して略垂直に配置して、前記終段球振分装置以外についての前記第１出口と前記第２出口とを前記遊技盤の左右に変位させて設けていると共に、
前記終段球振分装置の羽根車の軸部を前記遊技盤の盤面に対して略平行に配置して、前記終段球振分装置についての前記第１出口と前記第２出口とを前記遊技盤の前後に変位させて設けている請求項４記載の弾球遊技機。
【請求項６】
前記終段球振分装置以外の球振分装置について、下段側に位置する球振分装置は、上段側に位置する球振分装置に対して、前記遊技盤の前後方向において後ろ側になるように配置している請求項５記載の弾球遊技機。
【請求項７】
前記球振分連結体は、前記遊技盤の左領域に流下させる左打ちの球を受入れる左側球振分連結体と、前記遊技盤の右領域に流下させる右打ちの球を受入れる右側球振分連結体とから成る請求項１〜６何れか一項記載の弾球遊技機。
【請求項８】
前記第１球ルートと前記第２球ルートとの間に、前記第１球ルートから前記第２球ルートへの球の進入を阻止する進入阻止部と、前記第２球ルートから前記第１球ルートへの球の容易な進入を妨げる進入低減部とを設けている請求項１〜７何れか一項記載の弾球遊技機。
【発明の詳細な説明】
【技術分野】
【０００１】
本発明は、始動口等の抽選契機口への入球を契機に大当り抽選等と称する内部抽選を実行するパチンコ遊技機等の弾球遊技機に関する。
【背景技術】
【０００２】
パチンコ遊技機等の弾球遊技機は、スロットマシン（回胴式遊技機）がメダルの投入により毎回ボーナス抽選等を伴う図柄変動ゲームを実行できるのとは異なり、遊技盤に発射した球が始動口に入賞するかどうかにより大当り抽選を伴う図柄変動ゲームを実行できるかが決まり、大当り抽選を伴う図柄変動ゲームを具体的に何回（何回転）行えるかは不確実となる。１０００円（２５０球）で平均２０回転回るように遊技釘等の盤面配置構成を設計した所定ゲージの遊技盤でも、１０００円で３０回転回ることもあれば、逆に１０００円で１０回転しか回らないこともある。
【０００３】
この現象を業界では「入賞スランプ」と呼んでおり、業界の一般的な常識では、ゲージ設計やゲージ調整方法が悪ければ入賞スランプは大きくなり、ゲージ設計やゲージ調整方法が良ければ入賞スランプは小さくなると考えられている。入賞スランプは遊技者に遊技続行を中止させる大きなストレス要因となるため、入賞スランプが大きくならないゲージ設計とゲージ調整が求められる。
【０００４】
しかし、客観的には、業界の一般的な常識とは異なり、ゲージ設計とゲージ調整は、入賞スランプに本質的な影響を与えるものではない。サイコロの各６面及び転がせる平面を如何に均等かつ高精度に仕上げ、特定の出目の確率を１／６に均一化できたとしても、この１／６の確率は十分多い試行回数を経るとそうなるというだけであり、試行途中のある短期間について必ずしも１／６で特定の出目が出現するわけではないのと同じである。
【０００５】
一般に、始動口周辺には球が良く集まるようにし且つ始動口直前で入賞率を所定の設計値に規制するゲージ設計とゲージ調整が、入賞スランプを抑制するのに効果的と考えられているが、これは、始動口周辺にほとんど球が寄り付かない状態よりも、始動口周辺に常に球が集まっている状態の方が安心感があるという主観的なものでしかなく、客観的に入賞スランプが抑制されるわけではない。
【０００６】
従来、特許文献１に記載されているように、球の打出し毎に発射球抽選を実行してこれに当るとプラス１し、始動口に入賞するとマイナス１する発射球カウンタを設け、発射球数の割合に対して始動入賞が少ない傾向にあり、発射球カウンタが初期値を境にプラス側にあるときは、電動チューリップ式始動口の開閉に関与する普通図柄の変動時間を短めにすると共に、普通図柄当選時の電動チューリップによる開放時間を長めにすることにより、始動入賞頻度の低い時期を意図的に高める補正をすることにより、入賞スランプの抑制を狙うものがある。
【先行技術文献】
【特許文献】
【０００７】
【特許文献１】特開平１０−２０１９１２号公報
【発明の概要】
【発明が解決しようとする課題】
【０００８】
しかし、上記特許文献１記載のものでは、発射球カウンタを用いるハード面及びソフト面の構成が複雑になると共に、電動チューリップ式始動口を電動チューリップを付帯しない通常のいわゆるヘソ始動口と区別して出玉仕様及び又は時短仕様を変えることが困難となり、適用する遊技仕様が制限されてしまう。
【０００９】
なお、現在市場投入されている多くの機種には、入賞スランプによるストレスを緩和するため、始動入賞の保留数が少ない状態では図柄変動時間を長くして図柄停止期間を少なく見せかけるソフト制御が採用されているが、所定時間内についての図柄変動数すなわち回転数は少ないままで変わりはなく、遊技者にスランプを意識させない演出上の誤魔化しに過ぎず、入賞スランプを根本的に抑制するものではない。
【００１０】
現在のパチンコ遊技機は、高換金率へのシフト、無制限営業へのシフト、甘いスペックへのシフトさらには機械代の高騰等の各種要因により、１０００円で回せる回転数は２０年前の半分近くになってしまっており、その分、入賞スランプは大きくなり、遊技者にそっぽ向かれずに如何に入賞スランプを抑えるかがホール運営における重要な要素の一つとなっているが、未だに有効な入賞スランプの抑制策は無いというのが実情である。
【００１１】
本発明では、一般的なゲージ設計等では不可能である入賞スランプを根本的に抑制でき、遊技者に与える心理的ストレスを効果的に取り除くことができるパチンコ遊技機等の弾球遊技機を提供することを課題とする。
【課題を解決するための手段】
【００１２】
図面に例示するように、遊技盤（２）に、入球を契機に内部抽選を実行させる少なくとも一つの抽選契機口（ヘソ始動口Ａｈ、或いは、一の抽選契機口（Ａｓ又はＢｓ）と他の抽選契機口（Ａｈ）の複数の抽選契機口）を有する弾球遊技機を前提とする。
【００１３】
本発明でいう「内部抽選」は、「大当り抽選」を含み、遊技機規則第６条別表第二（２）チの「役物連続作動装置」の作動に必要な条件とされている同遊技機規則第６条別表第二（２）リの「条件装置」が作動することとなる図柄の組合せが表示される同遊技機規則第６条別表第二（２）ヲの「作動確率」にしたがって、遊技機内で行われる電子計算機によるくじを主に意味する。なお、遊技機規則とは、平成１６年１月３０日の国家公安委員会規則第１での改正を経た昭和６０年２月１２日の国家公安委員会規則第４「遊技機の認定及び型式の検定等に関する規則」をいう。
【００１４】
本発明でいう「抽選契機口」は、遊技機規則第６条別表第二（２）ルの「始動口」のうち、一の「特別図柄表示装置」を作動させることとなる遊技球の入賞に係る入賞口を主に意味するが、球通過による入球に基づいて抽選を実行するゲートを含む概念である。なお、「特別図柄表示装置」とは、特別電動役物及び条件装置が作動することとなる図柄の組合せを表示するための装置をいう（遊技機規則第６条別表第二（２）ヌ）。
【００１５】
また、「役物連続作動装置」とは、「特別電動役物」を連続して作動させることができる特別の装置をいう（遊技機規則第６条別表第二（２）チ）。「特別電動役物」とは、電動役物のうち、「大入賞口」の入口を開き、又は拡大するものをいう（遊技機規則第６条別表第二（２）ト）。「大入賞口」とは、入賞口のうち、「役物」が作動した場合に著しく入賞が容易になるものをいう（遊技機規則第６条別表第二（２）ニ）。「役物」とは、入賞を容易にするための特別の装置をいう（風俗営業等の規制及び業務の適正化等に関する法律施行規則第７条表中、ぱちんこ遊技機の第五）。
【００１６】
以上のものにおいて、入球を契機に内部抽選を実行させる抽選契機口（ヘソ始動口Ａｈ）を有する遊技盤（２）に、
入口（ＩＮ）から受入れた球を受入毎に第１出口（Ｏ１）と第２出口（Ｏ２）とに交互に振分ける球振分装置（Ｓ）を、上段の球振分装置の一の出口（Ｏ１）から出た球を下段の球振分装置の入口（ＩＮ）に受入させ且つ上段の球振分装置の他の出口（Ｏ２）から出た球を前記遊技盤（２）に放出させる態様にて、複数段について連結した球振分連結体（Ｓｍ）と、
この球振分連結体（Ｓｍ）の最下段に位置する終段球振分装置の一方側出口（Ｏ１）から出た球を相対的に高い確率により前記抽選契機口（Ａｈ）に向わせる第１球ルート（３１）と、
前記終段球振分装置の他方側出口（Ｏ２）から出た球を相対的に低い確率により前記抽選契機口（Ａｈ）に向わせる第２球ルート（３２）とを設けた。
【００１７】
或いは、入球を契機に内部抽選を実行させる複数の抽選契機口（一の抽選契機口（Ａｓ又はＢｓ）と他の抽選契機口（Ａｈ）)を有する遊技盤（２）に、
入口（ＩＮ）から受入れた球を受入毎に第１出口（Ｏ１）と第２出口（Ｏ２）とに交互に振分ける球振分装置（Ｓ）を、上段の球振分装置の一の出口（Ｏ１）から出た球を下段の球振分装置の入口（ＩＮ）に受入させ且つ上段の球振分装置の他の出口（Ｏ２）から出た球を前記遊技盤（２）に放出させる態様にて、複数段について連結した球振分連結体（Ｓｍ）と、
この球振分連結体（Ｓｍ）の最下段に位置する終段球振分装置の一方側出口（Ｏ１）から出た球を相対的に高い確率により一の抽選契機口（Ａｓ又はＢｓ）に向わせる第１球ルート（３１）と、
前記終段球振分装置の他方側出口（Ｏ２）から出た球を相対的に低い確率により他の抽選契機口（Ａｈ）に向わせる第２球ルート（３２）とを設けた。
なお、高確率で入球が見込まれる一の抽選契機口（Ａｓ又はＢｓ）を構成する始動口或はゲートは、球振分連結体Ｓｍの終段球振分装置の一方側出口（Ｏ１）に直結して第１球ルート（３１）は極短い通路構成とする等、球振分連結体Ｓｍに内蔵或は一体化若しくはユニット化してもよい。
【００１８】
以上により、球振分連結体（Ｓｍ）の最上段の球振分装置（Ｓ）の入口（ＩＮ）から受入れた球数（例えば２４個）に段数（例えば３段）に応じた所定振分率（１／２×１／２×１／２＝１／８）を乗じた所定の少数（例えば３個）の球が、最下段に位置する終段球振分装置の一方側出口（Ｏ１）から第１球ルート（３１）を経て相対的に高い確率で抽選契機口（ヘソ始動口Ａｈ）或いは一の抽選契機口（Ａｓ又はＢｓ）に向い、高確率で入球（始動入賞）が期待できる。
【００１９】
一方、球振分連結体（Ｓｍ）の最上段の球振分装置（Ｓ）の入口（ＩＮ）に受入れられても、終段球振分装置の他方側出口（Ｏ２）から出た球は、第２球ルート（３２）を経て相対的に低い確率で抽選契機口（ヘソ始動口Ａｈ）或いは他の抽選契機口（Ａｈ）に向い、第１球ルート（３１）からの場合に比べて入球（始動入賞）が得られるかどうかは不確かとなる。さらに、そもそも球振分連結体（Ｓｍ）の最上段の球振分装置（Ｓ）の入口（ＩＮ）に受入れられなかった球、及び、球振分連結体（Ｓｍ）の最上段の球振分装置（Ｓ）の入口（ＩＮ）に受入れられも途中で第２出口（Ｏ２）から遊技盤（２）に放出された球は、遊技盤（２）の盤面をランダムに流下し、これらの球が抽選契機口（ヘソ始動口Ａｈ）に入るかどうかは更に不確かとなる。
【００２０】
しかし、これら第２球ルート（３２）からの球、球振分連結体（Ｓｍ）に受入れられなかった球、及び、球振分連結体（Ｓｍ）に受入れられも途中で放出された球、つまり、遊技盤（２）に打出された発射球のうち第１球ルート（３１）から高確率で入球（始動入賞）が期待できる少数の球以外の大多数の球は、入球（始動入賞）の可能性が無くなる死に球になるわけではなく、球振分連結体（Ｓｍ）を設けない従来仕様の入球率（始動入賞率）の設計と同様に、遊技盤（２）に打出した発射球数に対する任意の設計入球率（設計入賞率）を設定することができる。
【００２１】
例えば、球振分連結体（Ｓｍ）を設けない従来仕様の設計入球率（設計入賞率）が１分間について約１００個の発射球に対して６個の入球（始動入賞）を期待できる６／１００であり、これと同程度の入球（始動入賞）を期待できるものとするならば、球振分連結体（Ｓｍ）を設ける本発明仕様では、第１球ルート（３１）から高確率で得られる少数（例えば３個）の不足分を補う３／１００等と設定できる。
【００２２】
ここで、入賞スランプを抑制する観点のみからは、第１球ルート（３１）から高確率で得られる入球（始動入賞）のみとし、第２球ルート（３２）等からの低確率で生じる入球（始動入賞）は無しとするのが一見好ましいと考えられるが、このようにすると、第１球ルート（３１）に至らない球以外はすべて死に球にすることに帰し、球挙動の偶然性による面白味をその本質とする弾球遊技機の遊技性を大きく損なうことになる。
【００２３】
このため、本発明仕様では、第１球ルート（３１）から高確率で入球（始動入賞）が得られる安定感と、第２球ルート（３２）を含む第１球ルート（３１）以外からの入るか入らないか分からない不安定感とのバランスを考慮し、所定数の発射球（約１００個）に対する入球数（始動入賞数）を第１球ルート（３１）側とこれ以外の側とに例えば１：１等の所定比率で分かれて生じるものとすることにより、少なくとも第１球ルート（３１）からの高確率で得られる入球数（始動入賞数）を半分程度等の所定数確保した上で、第２球ルート（３２）を含む第１球ルート（３１）以外からの入るか入らないか分からない従来仕様の不確定数を半分程度等の所定数について加算することとしたのである。
【００２４】
こうして、第１球ルート（３１）から高確率で得られる入球数（始動入賞数）を所定数確保した上で、第２球ルート（３２）を含む第１球ルート（３１）以外からの入るか入らないか分からない従来仕様の不確定数を所定数について加算することにより、球挙動の偶然性による弾球遊技機本来の面白味を生かしつつ、入賞スランプを効果的に抑制することができるに至った。この入賞スランプ抑制効果は、後記実施形態において、具体的数値により客観的に明示する。
【００２５】
以上のものにおいて、前記遊技盤（２）の上部であって前記球振分連結体（Ｓｍ）の最上段に位置する初段球振分装置の入口部に、この初段球振分装置に向けて流下させる球のうち予め定めた設定受入率（例えば２４／１００）を乗じた数の球を該初段球振分装置の入口（ＩＮ）に受入させる球受入ルート（４）を設けているのが好ましい。
【００２６】
こうして、球受入ルート（４）は、遊技盤（２）の上部から流下してくる流下初期段階の球を初段球振分装置の入口（ＩＮ）に受入れさせるため、設定受入率の設定自体が比較的容易であると共に、その設定受入率を長期間にわたり安定的に保つことができる。
【００２７】
球受入ルート（４）による設定受入率は、第１球ルート（３１）からの高確率で得る入球数（始動入賞数）と、球振分連結体（Ｓｍ）を構成する球振分装置の段数との関連で適切に設定できる。例えば、第１球ルート（３１）からの高確率で得る入球数（始動入賞数）を１００個の発射球に対して３個に固定したと仮定して、段数３すなわち終段球振分装置での振分率が１／８なら、その設定受入率は２４／１００、段数４すなわち終段球振分装置での振分率が１／１６なら、その設定受入率は４８／１００、段数５すなわち終段球振分装置での振分率が１／３２なら、その設定受入率は９６／１００というように設定できる。設定受入率の分子すなわち設定分間受入個数の２４や４８或は９６等の数字は、球振分連結体（Ｓｍ）を設けない従来仕様の設計入球率（設計入賞率）である例えば６／１００の分子すなわち設定分間入賞個数の６等よりも大きい値である。
【００２８】
第１球ルート（３１）から高確率で得る入球数（始動入賞数）を固定して考えると、球受入ルート（４）による設定受入率を大きくするということは、球振分連結体（Ｓｍ）を構成する球振分装置の段数を増やすことに帰し、スペース的なデメリット等も生じ得るが、より多くの球を初段球振分装置に受入れることから、初段球振分装置に対する入賞スランプが大幅に抑制でき、次段以降の球振分装置に対する入賞スランプは構造的にゼロであるため、終段球振分装置から第１球ルート（３１）を経て高確率で入球（始動入賞）が得られる単位時間あたりの球数の変動をより小さくでき、入賞スランプの抑制効果を高めることができる。
【００２９】
以上のものにおいて、前記遊技盤（２）に、前記内部抽選の当否を所定の図柄変動を経て導出させる演出表示装置（７）を設けるセンターユニット（３）を有し、このセンターユニット（３）における前記演出表示装置（７）の下部側に設けるセンターステージ（３０）に、前記第１球ルート（３１）と前記第２球ルート（３２）とを変位させて設けているのが好ましい。この場合、前記第１球ルート（３１）と前記第２球ルート（３２）とは、奥行方向前後に変位させる他、上下に変位させてもよい。
【００３０】
これにより、センターユニット（３）のセンターステージ（３０）に乗った球が入球（始動入賞）し易いという既存の多くの遊技盤仕様と同様な遊技進行を維持できると共に、センターユニット（３）の左又は右或いは左右両方に球振分連結体（Ｓｍ）を容易に配置でき、既存の遊技盤仕様を構造的に大きく変更しなくても済むメリットが得られる。
【００３１】
この場合、前記球振分装置（Ｓ）は、軸部（Ｚ）に対して放射状に延びる垂直羽根（Ｆ０）と右下り羽根（Ｆ１）及び左下り羽根（Ｆ２）を有し、かつ、前記垂直羽根（Ｆ０）の右側から受入れた球を前記右下り羽根（Ｆ１）から第１出口（Ｏ１）に振分ける右振分姿勢と、前記垂直羽根（Ｆ０）の左側から受入れた球を前記左下り羽根（Ｆ２）から第２出口（Ｏ２）に振分ける左振分姿勢とを交互に切換える羽根車（Ｆ）を備え、
前記終段球振分装置以外の羽根車（Ｆ）の軸部（Ｚ）を前記遊技盤（２）の盤面に対して略垂直に配置して、前記終段球振分装置以外についての前記第１出口（Ｏ１）と前記第２出口（Ｏ２）とを前記遊技盤（２）の左右に変位させて設けていると共に、
前記終段球振分装置の羽根車（Ｆ）の軸部（Ｚ）を前記遊技盤（２）の盤面に対して略平行に配置して、前記終段球振分装置についての前記第１出口（Ｏ１）と前記第２出口（Ｏ２）とを前記遊技盤（２）の前後に変位させて設けているのが好ましい。
【００３２】
これにより、終段球振分装置以外の上段側の球振分装置（Ｓ）については、羽根車（Ｆ）による右振分姿勢と左振分姿勢との間の左右の姿勢変更動作を目ではっきりと確認できながら左右に分かれる球挙動を楽しむことができる。しかも、終段球振分装置については、前後に変位する第１出口（Ｏ１）と第２出口（Ｏ２）とを、第１球ルート（３１）と第２球ルート（３２）とに比較的良好に対応させることができ、接続通路等の構成を簡単にできる。
【００３３】
さらに、この場合、前記終段球振分装置以外の球振分装置（Ｓ）について、下段側に位置する球振分装置（Ｓ）は、上段側に位置する球振分装置（Ｓ）に対して、前記遊技盤（２）の前後方向において後ろ側になるように配置しているのが好ましい。
【００３４】
球振分装置（Ｓ）は、正面から見て第１出口（Ｏ１）と第２出口（Ｏ２）とは左右に所定量変位し、終段球振分装置の一方側出口（Ｏ２）は遊技盤（２）の前方に大きく突出する恐れがあるが、この好ましい態様によれば、終段球振分装置の一方側出口（Ｏ２）が遊技盤（２）の前方に大きく突出するのを防止でき、遊技盤（２）とガラス等の前面透明体との間の間隔を、球転動に適切な通常間隔に良好に保つことができる。
【００３５】
以上のものにおいて、前記球振分連結体（Ｓｍ）は、前記遊技盤（２）の左領域に流下させる左打ちの球を受入れる左側球振分連結体（ＳｍＬ）と、前記遊技盤（２）の右領域に流下させる右打ちの球を受入れる右側球振分連結体（ＳｍＲ）とから成るのも好ましい。
【００３６】
これにより、遊技盤（２）の左領域に流下させる左打ち時も、遊技盤（２）の右領域に流下させる右打ち時も、何れの場合にも、入球（始動入賞）に対する入賞スランプを抑制できる。
【００３７】
以上のものにおいて、前記第１球ルート（３１）と前記第２球ルート（３２）との間に、前記第１球ルート（３１）から前記第２球ルート（３２）への球の進入を阻止する進入阻止部（６１）と、前記第２球ルート（３２）から前記第１球ルート（３１）への球の容易な進入を妨げる進入低減部（６２）とを設けているのが好ましい。
【００３８】
こうして、進入阻止部（６１）により、入球率（始動入賞率）が高確率の第１球ルート（３１）から低確率に止まる第２球ルート（３２）への球の進入を阻止でき、有利な状況から不利な状況に転落することによる落胆を回避できながら、進入低減部（６２）により、入球率（始動入賞率）が低確率に止まる第２球ルート（３２）から高確率の第１球ルート（３１）への球の進入が稀に生じ得ることから、望外の喜びを付与できる。
【００３９】
なお、以上の他、複数の抽選契機口（一の抽選契機口（Ｂｓ）と他の抽選契機口（Ａｈ）)を有するものにおいて、前記一の抽選契機口（Ｂｓ）への入球を契機とした内部抽選での当選時に決定する出玉仕様及び又は時短仕様を、前記他の抽選契機口（Ａｈ）への入球を契機とした内部抽選での当選時に決定する出玉仕様及び又は時短仕様よりも遊技者に有利に設定し、
前記一の抽選契機口（Ｂｓ）への入球を契機とした内部抽選を前記他の抽選契機口（Ａｈ）への入球を契機とした内部抽選よりも優先して実行して当否を導出する別発明も有益である。
【００４０】
要するに、一の抽選契機口（Ｂｓ）からの大当りが他の抽選契機口（Ａｈ）からの大当りよりも有利で、一の抽選契機口（Ｂｓ）からの入球（始動入賞）を他の抽選契機口（Ａｈ）からの入球（始動入賞）よりも優先消化するものに球振分連結体（Ｓｍ）を適用するものである。この場合、一の抽選契機口（Ｂｓ）からの入球（始動入賞）の保留を切らさない限り、より有利な一の抽選契機口（Ｂｓ）からの大当りを期待できるが、一の始動口（Ｂｓ）からの始動入賞の保留が切れると、有利性に劣る他の始動口（Ａｈ）からの大当りが生じ得る。遊技機規則上、大当り遊技中は時短仕様ではなく通常仕様とすべきであるというように何らかの原因により、大当り遊技中に一の抽選契機口（Ｂｓ）からの入球（始動入賞）の保留が貯まらないと、大当り遊技の終了直後に有利性に劣る他の抽選契機口（Ａｈ）からの大当りが生じる可能性がある。
【００４１】
しかし、この別発明によれば、時短仕様による恩恵を受けるまでもなく、初段球振分装置に受入れた球を段数に応じた所定振分率にしたがって高確率で入球（始動入賞）を得ることができ、大当り遊技中においても一の抽選契機口（Ｂｓ）に対する入賞スランプを抑制できることから、一の抽選契機口（Ｂｓ）からの入球（始動入賞）の保留を確保することができ、大当り遊技の終了直後に有利性に劣る他の抽選契機口（Ａｈ）からの大当りが生じるリスクを回避できる。
【００４２】
また、一の抽選契機口（Ｂｓ）からの大当りが他の抽選契機口（Ａｈ）からの大当りよりも有利で、一の抽選契機口（Ｂｓ）からの入球（始動入賞）を他の抽選契機口（Ａｈ）からの入球（始動入賞）よりも優先消化する別発明において、前記球振分連結体（Ｓｍ）は、前記遊技盤（２）の右領域に流下させる右打ちの球を受入れる少なくとも右側球振分連結体（ＳｍＲ）を有し、
前記内部抽選による当選に基づく大当り遊技時に開放させる大入賞口（９）は、前記遊技盤（２）の右領域に流下させる右打ちの球を受入可能に配置しているのが好ましい。
【００４３】
これにより、遊技盤（２）の右領域に流下させる右打ち時に、入球（始動入賞）に対する入賞スランプを抑制するものとなり、右打ちにより大入賞口（９）に入賞させる大当り遊技中において、より有利な一の抽選契機口（Ｂｓ）に対する入賞スランプを抑制でき、一の抽選契機口（Ｂｓ）からの入球（始動入賞）の保留をほぼ確保することができ、大当り遊技の終了直後に有利性に劣る他の始動口（Ａｈ）からの大当りが生じるリスクをより確実に回避できる。
【発明の効果】
【００４４】
本発明によれば、一般的なゲージ設計等では不可能である入賞スランプを根本的に抑制でき、遊技者に与える心理的ストレスを効果的に取り除くことができ、興趣を高めることができる。
【図面の簡単な説明】
【００４５】
【図１】本発明弾球遊技機の正面図。
【図２】例１に係る遊技盤の正面図。
【図３】例１の要部拡大図。
【図４】球振分装置の振分姿勢の切換説明図。
【図５】図３のＹ１−Ｙ１断面図。
【図６】例１のセンターステージ周辺の平面図及び断面図。
【図７】球振分連結体の作動説明図（１／４）。
【図８】球振分連結体の作動説明図（２／４）。
【図９】球振分連結体の作動説明図（３／４）。
【図１０】球振分連結体の作動説明図（４／４）。
【図１１】本発明仕様と対比する従来仕様の遊技盤。
【図１２】設定分間入賞個数６．０の入賞個数別発生確率（１／２）。
【図１３】設定分間入賞個数６．０の入賞個数別発生確率（２／２）。
【図１４】従来仕様の入賞個数別発生確率分布グラフ。
【図１５】設定分間入賞個数３．０の入賞個数別発生確率（１／２）。
【図１６】設定分間入賞個数３．０の入賞個数別発生確率（２／２）。
【図１７】設定分間受入個数２４．０の受入個数別発生確率（１／２）。
【図１８】設定分間受入個数２４．０の受入個数別発生確率（２／２）。
【図１９】第１球ルートからの入賞個数別発生確率。
【図２０】トータル入賞個数別発生確率（１／５）。
【図２１】トータル入賞個数別発生確率（２／５）。
【図２２】トータル入賞個数別発生確率（３／５）。
【図２３】トータル入賞個数別発生確率（４／５）。
【図２４】トータル入賞個数別発生確率（５／５）。
【図２５】本発明仕様の入賞個数別発生確率分布グラフ。
【図２６】従来と本発明を対比した入賞個数別発生確率分布グラフ。
【図２７】例２に係る遊技盤の正面図。
【図２８】例２の要部拡大図。
【図２９】図２８のＹ２−Ｙ２断面図。
【図３０】例２のセンターステージ周辺の平面図及び断面図。
【図３１】例３に係る遊技盤の正面図。
【図３２】例３の要部拡大図。
【図３３】図３２のＹ３−Ｙ３断面図。
【図３４】例３のセンターステージ周辺の平面図及び断面図。
【図３５】例４に係る遊技盤の正面図。
【図３６】例４の要部拡大図。
【図３７】図３６のＹ４−Ｙ４断面図。
【図３８】例４のセンターステージ周辺の平面図及び断面図。
【図３９】例５に係る遊技盤の正面図。
【図４０】例５の要部拡大図。
【図４１】図４０のＹ５−Ｙ５断面図。
【図４２】例５のセンターステージ周辺の平面図及び断面図。
【図４３】例６に係る遊技盤の正面図。
【図４４】例６の要部拡大図。
【図４５】図４４のＹ６−Ｙ６断面図。
【図４６】例６のセンターステージ周辺の平面図及び断面図。
【図４７】例７に係る遊技盤の正面図。
【図４８】例７の要部拡大図。
【図４９】図４８のＹ７−Ｙ７断面図。
【図５０】例７のセンターステージ周辺の平面図及び断面図。
【図５１】例８に係る遊技盤の正面図。
【図５２】例８の要部拡大図。
【図５３】図５２のＹ８−Ｙ８断面図。
【図５４】例９に係る遊技盤の正面図。
【図５５】例９のセンターステージ周辺の平面図及び断面図。
【発明を実施するための形態】
【００４６】
図１は本発明を適用するパチンコ遊技機１を示し、遊技枠１０に本体１１を開扉可能に支持している。本体１１の前面上部には、丸窓１２にガラス１３を嵌めたフロント扉１４を有し、その内方に遊技盤２を備える。本体１１及びフロント扉１４は、遊技場係員による鍵穴１５へのキー操作により施錠され、遊技者は遊技盤２及び本体１１の内部に手を触れることはできない。フロント扉１４の下には、直径約１１ｍｍ、質量５．４ｇ以上５．７ｇ以下の鋼製の遊技球（貸球及び賞球、以下、単に球という）を受ける上皿１６Ｕ、内方で溢れた球を受ける下皿１６Ｄ、遊技盤２に１分間について約１００個の球を連続的な打出しにより発射させ、回転操作角度により球の打出し強さを調整できる発射ハンドル１７、効果音等を出音する左スピーカ１８Ｌ及び右スピーカ１８Ｒを備える。
【００４７】
１９は、所定条件下、遊技者操作を演出に関与させる左ボタン１９Ｌ、中ボタン１９Ｃ、右ボタン１９Ｒから成る遊技者操作スイッチである。１６ＤＬは下皿１６Ｄから球を抜く球抜きレバー、１６ＤＡは灰皿である。１７Ｓは、発射ハンドル１７の回転操作中に球の打出しを一時休止するための発射停止ボタンである。丸窓１２を取り囲むフロント扉１４の前面には、装飾や各種状態表示に用いる装飾ランプ１４ａ，１４ｂ，１４ｃ，１４ｄ，１４ｅを備える。
【００４８】
図２に示すように、遊技盤２は、外側の球レール２１ａと内側の球レール２１ｂで囲む略円形の遊技領域２０を有し、発射ハンドル１７により打出す球を球レール２１ａ，２１ｂから導いて流下させる。２２は衝撃緩衝機能をもつ球止め、２３は球戻り防止片、２４は風車である。２５，２６，２７，２８は、入賞１個につき所定数例えば１０個の賞球を払出す左上入賞口、同左中入賞口、同左下入賞口、右入賞口である。２９は、入賞を逃した球を排出するアウト口である。遊技領域２０には、図示は適宜省略したが、独特のゲージにしたがって球と干渉する多数本の遊技釘Ｎが打たれている。
【００４９】
遊技盤２には、第１又は第２特別図柄表示装置ＳＤ１，ＳＤ２での図柄変動と同期させて左・中・右の演出図柄７Ｌ，７Ｃ，７Ｒによる図柄変動を経て大当り抽選の当否（当選時は三つ揃い図柄等、外れ時は非三つ揃い図柄等）を導出させる演出表示装置７をその装飾枠３３内に設けるセンターユニット３、常時球一個の入賞を許容して第１特別図柄に係る大当り抽選を実行させる抽選契機口を構成するヘソ始動口Ａｈ、常時は実線の起立状態にある一対の可動片８１，８２を想像線のように左右に開くことで入賞を許容して第２特別図柄に係る大当り抽選を実行させる電動チューリップ式の普通電動役物８を付帯させた別の抽選契機口を構成する役物始動口Ｂｄ、大当り遊技中の所定ラウンド例えば前半の１〜７ラウンド中に開放させる第１開閉板９１０をもつ第１大入賞口９１、大当り遊技中の所定ラウンド例えば後半の８〜１５ラウンド中に開放させる第２開閉板９２０をもつ第２大入賞口９２、普通電動役物８の各可動片８１，８２を開く普通図柄抽選を実行させる球通過ゲートＧＴを設けている。なお、「普通電動役物」とは、電動役物のうち、大入賞口以外の入賞口の入口を開き、又は拡大するもので、遊技球が特定の入賞口に入賞し、若しくは特定のゲートを通過し、又は特定の図柄の組合せが表示された場合に作動するものをいう（遊技機規則第６条別表第二（２）ホ）。
【００５０】
ヘソ始動口Ａｈには、センターユニット３を境にして遊技盤２の左領域に流下させる左打ちの球を主に入賞可能にしている。可動片８１，８２が開いた状態の役物始動口Ｂｄ及び第１開閉板９１０が開いた状態の第１大入賞口９１には、遊技盤２の左領域に流下させる左打ちの球も遊技盤２の右領域に流下させる右打ちの球も何れも容易に入賞可能にしている。第２大入賞口９２及び球通過ゲートＧＴは、センターユニット３を境にした遊技盤２の右領域に配置しており、ほぼ右打ちの球を限定的に入賞又は通過可能にしている。なお、第１大入賞口９１と第２大入賞口９２への入賞時、入賞１個につき所定数例えば１５個の賞球を払出す。また、第１大入賞口９１と第２大入賞口９２とは共通の一つの大入賞口で置換し、遊技盤２の中央下方又は右領域の何れかに配置してもよい。
【００５１】
ＤＢは表示器ボードであり、ヘソ始動口Ａｈへの入賞を契機に第１特別図柄を変動させる第１特別図柄表示装置ＳＤ１及びその保留球ランプａ１〜４を備える。ここに、保留球とは、先入賞を契機とした特別図柄の変動中若しくは大当り遊技中に後入賞を契機とした結果未導出の抽選データを所定の保留上限例えば４個について記憶したものをいう。表示器ボードＤＢには、役物始動口Ｂｄへの入賞を契機に第２特別図柄を変動させる第２特別図柄表示装置ＳＤ２及び第２特別図柄についての同様な４個の保留球ランプｂ１〜４、球通過ゲートＧＴへの球通過を契機に普通図柄を変動させる普通図柄表示装置ＮＤ及び普通図柄についての同様な４個の保留球ランプｎ１〜４を具備する。なお、「普通図柄表示装置」とは、普通電動役物が作動することとなる図柄の組合せを表示するための装置をいう（遊技機規則第６条別表第２（２）ヘ）。
【００５２】
ヘソ始動口Ａｈ又は役物始動口Ｂｄの各抽選契機口への入球（入賞）時、入賞１個につき所定数例えば３個の賞球を払出すと共に、各保留球の上限内で、遊技機１の内部に設ける制御装置上で例えば０〜６５５３５の所定範囲内で高速更新する大当り抽選用乱数庫から一つの大当り抽選用乱数を取得し、かつ、同制御装置上で例えば０〜９９の所定範囲内で高速更新する大当り種別抽選用乱数庫から一つの大当り種別抽選用乱数を取得する内部抽選を実行する。球通過ゲートＧＴへの球通過時、その保留球の上限内で、遊技機１の内部に設ける制御装置上で例えば０〜２５５の所定範囲内で高速更新する普通図柄抽選用乱数庫から一つの普通図柄抽選用乱数を取得する。
【００５３】
確変でない通常時、大当りの当選となるのは、取得した大当り抽選用乱数が６５５３６個の乱数範囲内に定める当選範囲例えば０〜１６４のときであり、大当り確率は、１６５／６５５３６＝約１／３９７である。所謂マックスタイプである。
【００５４】
時短でない通常時、第１特別図柄に係る大当り当選時に振分ける大当り種別は、例えば、以下のとおりである。
１）１％で、１５ラウンドについて大入賞口９１，９２を各ラウンド毎に所定の最大入賞数（１０カウント）の入賞か最大開放時間（約３０秒）の経過まで開き、大当り遊技後に、第１又は第２特別図柄に係る大当り抽選の導出回数が上限回転数例えば１００回を超過するまで（以下、ＳＴ＝１００回という）、大当り確率を所定倍例えば約１０倍に高めた約１／４０の「確変」に突入させると共に、普通図柄抽選の当選確率を通常時の例えば１／２５６から２５５／２５６に高め且つ普通電動役物８の各可動片８１，８２を開く開放時間を通常時の例えば０．２秒から５秒に延長した「時短」に突入させる１５Ｒ確変時短大当り。この１５Ｒ確変時短大当りの場合、演出図柄７Ｌ，７Ｃ，７Ｒは特定図柄例えば「７」−「７」−「７」で三つ揃いさせる。
【００５５】
２）２４％で、８ラウンドについて大入賞口９１，９２を各ラウンド毎に所定の最大入賞数（１０カウント）の入賞か最大開放時間（約３０秒）の経過まで開き、大当り遊技後に、ＳＴ＝１００回について「確変」及び「時短」に突入させる８Ｒ確変時短大当り。
３）５０％で、２ラウンドについて第１大入賞口９１のみを各ラウンド毎に極短時間（約０．２秒）について開き、大当り遊技後に、ＳＴ＝１００回について「確変」に突入させるも「時短」には突入させない２Ｒ突確大当り。
４）２５％で、第１大入賞口９１のみをラウンド毎に所定の最大入賞数（１０カウント）の入賞か最大開放時間（約３０秒）の経過まで開き、大当り遊技後に、「確変」にも「時短」にも突入させない７Ｒ通常大当り。
８Ｒ確変時短大当り又は７Ｒ通常大当りの場合、演出図柄７Ｌ，７Ｃ，７Ｒは特定図柄以外で三つ揃いさせるが、導出時点ではどちらかは明示しない。２Ｒ突確大当りの場合、演出図柄７Ｌ，７Ｃ，７Ｒは「１」−「２」−「３」等の連番で停止させる。
【００５６】
「確変」に突入すると、上限回転数（ＳＴ＝１００回）を超過するまでに、約１／４０の高い大当り確率により、大当りに当選し易い。また、「時短」に突入すると、通常時よりも普通電動役物８の可動片８１，８２が頻繁に開いて役物始動口Ｂｄへの入賞が容易になり、役物始動口Ｂｄへの入賞による賞球も見込めることから持ち球があまり減らない有利な状況下で、役物始動口Ｂｄからの第２特別図柄に係る大当り抽選を頻繁に実行させることができる。
【００５７】
ほとんど出玉を期待できない２Ｒ突確大当りの場合は、大当り遊技が開始されても、左打ちから右打ちに変更する必要はないが、その他の大当りの場合は、大当り遊技の後半に第２大入賞口９２が開く或いは開くかもしれないと共に、大当り遊技後に時短が付与される或いは付与されるかもしれないことから、大当り遊技が開始されると、右打ちに変更するのが効果的であり、演出表示装置７に「右打ち」すべきことを促すメッセージを表示するようにしている。
【００５８】
主に「時短」下において、役物始動口Ｂｄからの第２特別図柄に係る大当り当選時に振分ける大当り種別は、例えば、以下のとおりである。「時短」下では、球通過ゲートＧＴに球を通過させて普通図柄抽選を実行すべきことから右打ちすることになる。
１］５０％で、１５ラウンドについて大入賞口９１，９２を各ラウンド毎に所定の最大入賞数（１０カウント）の入賞か最大開放時間（約３０秒）の経過まで開き、大当り遊技後に、ＳＴ＝１００回について「確変」及び「時短」に突入させる１５Ｒ確変時短大当り。演出図柄７Ｌ，７Ｃ，７Ｒは特定図柄例えば「７」−「７」−「７」で三つ揃いさせる。
【００５９】
２］２５％で、８ラウンドについて大入賞口９１，９２を各ラウンド毎に所定の最大入賞数（１０カウント）の入賞か最大開放時間（約３０秒）の経過まで開き、大当り遊技後に、ＳＴ＝１００回について「確変」及び「時短」に突入させる８Ｒ確変時短大当り。演出図柄７Ｌ，７Ｃ，７Ｒは特定図柄以外で三つ揃いさせる。
３］２５％で、第１大入賞口９１のみをラウンド毎に所定の最大入賞数（１０カウント）の入賞か最大開放時間（約３０秒）の経過まで開き、大当り遊技後に、「確変」にも「時短」にも突入させない７Ｒ通常大当り。演出図柄７Ｌ，７Ｃ，７Ｒは特定図柄以外で三つ揃いさせる。
【００６０】
以上のように、役物始動口Ｂｄへの入賞を契機とした第２特別図柄に係る大当り抽選での当選時に決定する出玉仕様（全て出玉あり）及び時短仕様（７５％が時短あり）を、ヘソ始動口Ａｈへの入賞を契機とした第１特別図柄に係る大当り抽選での当選時に決定する出玉仕様（出玉ほぼなしの２Ｒ突確大当りの場合あり）及び時短仕様（２５％が時短あり）よりも遊技者に有利に設定している。なお、これに代え、第２特別図柄に係る大当り抽選での当選時に決定する出玉仕様のみを、第１特別図柄に係る大当り抽選での当選時に決定する出玉仕様よりも遊技者に有利に設定してもよいし、第２特別図柄に係る大当り抽選での当選時に決定する時短仕様のみを、第１特別図柄に係る大当り抽選での当選時に決定する時短仕様よりも遊技者に有利に設定してもよい。また、第２大入賞口９２等の内部に、入賞した球の一部を通過させる特定領域を設け、この特定領域への球通過により確変とする仕様にしてもよい。
【００６１】
以上に加え、役物始動口Ｂｄへの入賞を契機とした第２特別図柄に係る大当り抽選をヘソ始動口Ａｈへの入賞を契機とした第１特別図柄に係る大当り抽選よりも優先して実行して当否結果を導出する仕様にしている。すなわち、第２特別図柄に係る保留球が１以上ある場合は、第１特別図柄に係る保留球が１〜４個あっても、必ず、第２特別図柄に係る保留球が先に処理（当否判定及び大当り種別の決定）がされてその結果が導出され、第１特別図柄に係る保留球は、第２特別図柄に係る保留球が切れて０となった後に処理されてその結果が導出される。この第２特別図柄の優先処理仕様により、第２特別図柄に係る保留球を切らさない限り、第２特別図柄に係る大当り抽選での当選時に決定されるより有利な出玉仕様及び又は時短仕様を獲得できることになる。
【００６２】
図３に示すように、センターユニット３の左側には、入口ＩＮから受入れた球Ｐを受入毎に第１出口Ｏ１と第２出口Ｏ２とに交互に振分ける球振分装置Ｓを、上段の球振分装置Ｓの一の出口Ｏ１から出た球を下段の球振分装置Ｓの入口ＩＮに受入させ且つ上段の球振分装置Ｓの他の出口Ｏ２から出た球を遊技盤２に放出させる態様にて、複数段ここでは初段球振分装置Ｓ１、中段球振分装置Ｓ２、終段球振分装置Ｓ３の３段について連結した球振分連結体Ｓｍを設けている。ＮＲ２は、中段球振分装置Ｓ２の第２出口Ｏ２以外の部分の外側に沿って連設した連設釘、ＮＲ３は、終段球振分装置Ｓ３の外側に沿って連設した連設釘である。
【００６３】
また、遊技盤２の上部であって球振分連結体Ｓｍの最上段に位置する初段球振分装置Ｓ１の入口部に、この初段球振分装置Ｓ１に向けて流下させる左打ちの球Ｐのうち予め定めた設定受入率ここでは２４／１００を乗じた数の球を初段球振分装置Ｓ１の入口ＩＮに受入させる球受入ルート４を設けている。この球受入ルート４は、センターユニット３の左側に流下させる左打ち球Ｐが必ず通ることとなる左打ち球の上部流下経路に横断状に立設する第１釘４１並びに第２釘４２及び第３釘４３と、第１釘４１と第２釘４２の間から流下してくる球を初段球振分装置Ｓ１の入口ＩＮに向かわせることができる第４釘４４と、初段球振分装置Ｓ１の入口ＩＮに球を案内する左右の案内突片４５，４６とを構成要素とする特定ゲージ構成から成る。なお、案内突片４５，４６は遊技釘で代替してもよいし、省略することもできる。また、球受入ルート４の周辺に立設するその他の遊技釘４Ｎは、案内突片４５，４６と同様に、球受入ルート４の補助的構成要素であり、省略することもできる。
【００６４】
第１釘４１と第２釘４２の間隔と、第２釘４２と第３釘４３の間隔はほぼ同一長さに設定している。左打ちの球Ｐはセンターユニット３の装飾枠３３の左外面に沿って左下向きに流下してくるものが比較的多いことから、左打ちの球１００個のうち、第１釘４１と第２釘４２との間には半分よりも若干少なめの４８個、第２釘４２と第３釘４３の間には半分よりも若干多めの５２個が通過することを見込んでいる。また、第４釘４４は第１釘４１と第２釘４２とのほぼ中間下方に立設しており、上方からの球を左右何れかに振分けることを見込んでいる。これらにより、左打ちの球１００個のうち、第１釘４１と第２釘４２の間から流下する４８個の球の半分すなわち２４個が案内突片４５，４６の間から初段球振分装置Ｓ１の入口ＩＮに到達することを見込んでいる。
【００６５】
図４に示すように、各球振分装置Ｓは、軸部Ｚに対して放射状に延びる垂直羽根Ｆ０と右下り羽根Ｆ１及び左下り羽根Ｆ２を有し、かつ、垂直羽根Ｆ０の右側から受入れた球Ｐを右下り羽根Ｆ１から第１出口Ｏ１に振分ける右振分姿勢と、垂直羽根Ｆ０の左側から受入れた球を左下り羽根Ｆ２から第２出口Ｏ２に振分ける左振分姿勢とを交互に切換える羽根車Ｆを備え、独立した球振分装置本体５に支持している。球振分装置本体５は、入口ＩＮに対応した開口５０、右側球ガイド壁５１、左側球ガイド壁５２、平板状のベース５３、盤面取付ネジ穴５４，５５を有する。右振分姿勢と左振分姿勢とは、入口ＩＮから球Ｐを受入れる毎に、球Ｐ自体の運動エネルギーにより、外部からの動力を要することなく、非電動式で切換わる。
【００６６】
図５に示すように、ベース５３の後方に設ける軸受５６に羽根車Ｆの軸部Ｚの後方延長軸Ｊを支持し、抜止めＴにより保持している。各羽根車Ｆの軸部Ｚは遊技盤２の盤面に対して略垂直に配置しており、第１出口Ｏ１と第２出口Ｏ２とは図３の平面視で遊技盤２の左右に変位させている。ベース５３の下部前方には、右下り羽根Ｆ１又は左下り羽根Ｆ２の下端を受止める図３の平面視で台形の台座Ｇを設けている。ベース５３の上部には、垂直羽根Ｆ０の先端奥のピンＫに支持するリング状錘Ｗを受入れて右振分姿勢と左振分姿勢との間の姿勢切換時に死点乗越えをさせる図３の平面視で山形のガイド穴Ｈを開口している。
【００６７】
なお、遊技盤２に透明セル盤を用い、球振分連結体Ｓｍを遊技盤２の裏側に配置してもよい。この場合、球受入ルート４の案内突片４５，４６に受入れた球は遊技盤２の裏側に誘導して初段球振分装置Ｓ１の入口ＩＮに受入れさせ、終段球振分装置Ｓ３を除く上段の球振分装置Ｓ１，Ｓ２の第２出口Ｏ２から出た球は遊技盤２の表側に放出させ、終段球振分装置Ｓ３の第１，第２出口Ｏ１，Ｏ２から出た球は遊技盤２の裏側において第１，第２球ルート３１，３２に接続等する構造とすればよい。
【００６８】
図６に示すように、センターユニット３における演出表示装置７の下部側に設けるセンターステージ３０の奥行方向奥側には、球振分連結体Ｓｍの最下段に位置する終段球振分装置Ｓ３の一方側出口Ｏ１から出た球を相対的に高い確率ここではほぼ１００％に近い確率によりヘソ始動口Ａｈに向わせる第１球ルート３１を設けている。この第１球ルート３１は、終段球振分装置Ｓ３の一方側出口Ｏ１から球を受継ぐ第１球受口３１ａと、これに連続する接続通路３１ｂと、その出口３１ｃから開放する球を転動させる後方側球レーン３１ｄと、その最も低い中央部の球溝３１ｅから前方に向けて傾斜してヘソ始動口Ａｈの直上で開口するトンネル状の球出口３１ｆから成る。３１ｇは、後方側球レーン３１ｄの終端で球を折返す壁体である。
【００６９】
また、センターステージ３０の奥行方向前側には、終段球振分装置Ｓ３の他方側出口Ｏ２から出た球を相対的に低い確率ここでは約１０％程度の確率によりヘソ始動口Ａｈに向わせる第２球ルート３２を設けている。この第２球ルート３２は、終段球振分装置Ｓ３の他方側出口Ｏ２から球を受継ぐ第２球受口３２ａと、これに連続する接続通路３２ｂと、その出口３２ｃから開放する球を転動させる前方側球レーン３２ｄとから成る。３２ｇは、前方側球レーン３２ｄの終端で球を折返す壁体である。
【００７０】
前方側球レーン３２ｄは、左右両端から一旦中央に向けて下り勾配となるが、中央部で上り勾配に転じると共に、全長にわたり前端が後端に対して若干低くなっている。このため、前方側球レーン３２ｄに乗った大半の球はヘソ始動口Ａｈの直上から落下することができずに横からこぼれ落ちることが多いが、運良く中央の高い位置から落下することができた球或は横からこぼれ落ちても下方の遊技釘等に当って中央寄りに跳ね返った球等が、少なくともセンターステージ３０に乗ることなくヘソ始動口Ａｈに入賞する確率よりも高確率となる１０回のうち１回程度の約１０％について、ヘソ始動口Ａｈに入賞することが期待できる。なお、前方側球レーン３２ｄには、第２球受口３２ａからの球以外に、遊技釘等との干渉により遊技盤２から直接飛び込んでくる球も転動可能である。
【００７１】
第１球ルート３１と第２球ルート３２との間には、中央に向かう程に低位となる後方側球レーン３１ｄと中央部で高位となる前方側球レーン３２ｄとの間の段差が順次大きくなる構造により、第１球ルート３１から第２球ルート３２への球の進入をほぼ確実に阻止する進入阻止部６１を構成している。また、全体的に高位の前方側球レーン３２ｄのレーン後縁に沿って球の半径よりも低い所定高さのガード壁を設けることにより、イレギュラーバウンド等により稀に第２球ルート３２から第１球ルート３１に球が進入することは許容するが通常は第２球ルート３２から第１球ルート３１への球の容易な進入を妨げる進入低減部６２を構成している。
【００７２】
もっとも、図６の構成に限らず、第１球ルート３１の後方側球レーン３１ｄを第２球ルート３２の前方側球レーン３２ｄよりも高くし、後方側球レーン３１ｄのレーン前縁に沿って球の半径よりも高い等の所定高さのガード壁を設けると共に、後方側球レーン３１ｄの中央部から球ブリッジ等により前方側球レーン３２ｄの上を通って、ヘソ始動口Ａｈの真上から球を落下させる構造にしてもよい。
【００７３】
図７に示すように、丸１のように初段球振分装置Ｓ１が左振分姿勢、中段球振分装置Ｓ２が左振分姿勢、終段球振分装置Ｓ３が左振分姿勢すなわち球振分連結体Ｓｍが「左、左、左」の状態にあるとき、球振分連結体Ｓｍに第１番目に受入れた球Ｐは、初段球振分装置Ｓ１から遊技盤２の盤面に放出される。この盤面放出球は、遊技盤２の左領域に流下する球となり、ヘソ始動口Ａｈに入賞する可能性は残る。この第１番目の球により、初段球振分装置Ｓ１は右振分姿勢に切換り、球振分連結体Ｓｍは「右、左、左」の状態になる。
【００７４】
丸２のように球振分連結体Ｓｍが「右、左、左」の状態にあるとき、球振分連結体Ｓｍに第２番目に受入れた球Ｐは、中段球振分装置Ｓ２から遊技盤２に盤面に放出される。この盤面放出球は、遊技盤２の左領域に流下する球となり、ヘソ始動口Ａｈに入賞する可能性は残る。この第２番目の球により、初段球振分装置Ｓ１は左振分姿勢に切換り、中段球振分装置Ｓ２は右振分姿勢に切換り、球振分連結体Ｓｍは「左、右、左」の状態になる。
【００７５】
図８に示すように、丸３のように球振分連結体Ｓｍが「左、右、左」の状態にあるとき、球振分連結体Ｓｍに第３番目に受入れた球Ｐは、初段球振分装置Ｓ１から遊技盤２の盤面に放出される。この盤面放出球は、遊技盤２の左領域に流下する球となり、ヘソ始動口Ａｈに入賞する可能性は残る。この第３番目の球により、初段球振分装置Ｓ１は右振分姿勢に切換り、球振分連結体Ｓｍは「右、右、左」の状態になる。
【００７６】
丸４のように球振分連結体Ｓｍが「右、右、左」の状態にあるとき、球振分連結体Ｓｍに第４番目に受入れた球Ｐは、終段球振分装置Ｓ３から第２球ルート３２の入口となる第２球受口３２ａに入り、所定の低確率でヘソ始動口Ａｈに入賞する。この第４番目の球により、初段球振分装置Ｓ１は左振分姿勢に切換り、中段球振分装置Ｓ２は左振分姿勢に切換り、終段球振分装置Ｓ３は右振分姿勢に切換り、球振分連結体Ｓｍは「左、左、右」の状態になる。
【００７７】
図９に示すように、丸５のように球振分連結体Ｓｍが「左、左、右」の状態にあるとき、球振分連結体Ｓｍに第５番目に受入れた球Ｐは、初段球振分装置Ｓ１から遊技盤２の盤面に放出される。この盤面放出球は、遊技盤２の左領域に流下する球となり、ヘソ始動口Ａｈに入賞する可能性は残る。この第５番目の球により、初段球振分装置Ｓ１は右振分姿勢に切換り、球振分連結体Ｓｍは「右、左、右」の状態になる。
【００７８】
丸６のように球振分連結体Ｓｍが「右、左、右」の状態にあるとき、球振分連結体Ｓｍに第６番目に受入れた球Ｐは、中段球振分装置Ｓ２から遊技盤２に盤面に放出される。この盤面放出球は、遊技盤２の左領域に流下する球となり、ヘソ始動口Ａｈに入賞する可能性は残る。この第６番目の球により、初段球振分装置Ｓ１は左振分姿勢に切換り、中段球振分装置Ｓ２は右振分姿勢に切換り、球振分連結体Ｓｍは「左、右、右」の状態になる。
【００７９】
図１０に示すように、丸７のように球振分連結体Ｓｍが「左、右、右」の状態にあるとき、球振分連結体Ｓｍに第７番目に受入れた球Ｐは、初段球振分装置Ｓ１から遊技盤２の盤面に放出される。この盤面放出球は、遊技盤２の左領域に流下する球となり、ヘソ始動口Ａｈに入賞する可能性は残る。この第７番目の球により、初段球振分装置Ｓ１は右振分姿勢に切換り、球振分連結体Ｓｍは「右、右、右」の状態になる。
【００８０】
丸８のように球振分連結体Ｓｍが「右、右、右」の状態にあるとき、球振分連結体Ｓｍに第８番目に受入れた球Ｐは、終段球振分装置Ｓ３から第１球ルート３１の入口となる第１球受口３１ａに入り、高確率でヘソ始動口Ａｈに入賞する。この第８番目の球により、初段球振分装置Ｓ１は左振分姿勢に切換り、中段球振分装置Ｓ２は左振分姿勢に切換り、終段球振分装置Ｓ３は左振分姿勢に切換り、球振分連結体Ｓｍは「左、左、左」の状態になる。こうして、図７の丸１の状態に戻る。
【００８１】
図１１は、本発明による入賞スランプ抑制効果を評価するため、対比例とする従来仕様の遊技盤２を示す。本発明仕様の図２のものとは異なり、センターユニット３の左側には遊技盤２の左流域に流下させる左打ちの球を取込むワープルート入口３４を設け、この入口３４から取込んだ球をワープルート３５を経てワープルート出口３６からセンターステージ３０の球レーン３７に放つ。センターステージ３０の球レーン３７は、左右両端から一旦中央に向けて下り勾配となり、中央部で上り勾配に転じる。高位の中央部には奥行方向奥に球穴３８を開口しており、この球穴３８から一旦奥に球を取込み、球出口３９からヘソ始動口Ａｈの直上に球を放出する。センターステージ３０に乗った球の一部が球穴３８から球出口３９を経て高確率でヘソ始動口Ａｈに入賞することを見込んでおり、遊技盤２の左領域に打出す１分間１００個の左打ちの球のうち、ヘソ始動口Ａｈには設定分間入賞個数として６．０個の入賞が見込めるゲージ構成に設計している。
【００８２】
図１２及び図１３は、設定分間入賞個数を６．０個に設定した図１１の従来仕様の遊技盤２の確率計算データである。ヘソ始動口Ａｈへの入賞という事象Ｅが起こる確率（分間入賞率）はｐ＝６／１００＝０．０６０、その余事象が起こる確率つまりヘソ始動口Ａｈへの入賞しない確率（分間未入賞率）はｑ＝９４／１００＝０．９４０であり、この試行を分間試行回数ｎ＝１００回について繰り返すときに、事象Ｅ（ヘソ入賞）がｒ回起って分間入賞個数（ヘソ入賞数）がｒ個となる発生確率Ｐｒ（Ｅ）は、
Ｐｒ（Ｅ）＝ｎＣｒ・ｐ＊＊ｒ・ｑ＊＊（ｎ−ｒ）
で計算され、これを分間入賞個数ｒ＝０，１，２，・・・１００について一覧表にしたものである。
＊＊はべき乗を示し、ｐ＊＊ｒはｐのｒ乗、ｑ＊＊（ｎ−ｒ）はｑの（ｎ−ｒ）乗である。
【００８３】
ここに、
ｎＣｒはｎ個からｒ個をとってできる組合せの数（ｎ個のもののｒ組合せ数）をいい、「エヌコンビネーションアール」等と読み、
ｎＣｒ＝ｎ（ｎ−１）×・・・×（ｎ−ｒ＋１）／（１×２×・・・×ｒ）
＝ｎ！／（ｒ！（ｎ−ｒ）！）
で計算される。！は階乗を示す。
また、０！＝１とおくことにより、ｎＣｏ＝１としている。桁数の多い数値は、所謂Ｅ型式表記をしており、例えば９．３３２６Ｅ＋１５７というのは、９．３３２６×（１０の１５７乗）を意味する。
【００８４】
図１４に示すように、従来仕様の場合、分間入賞個数（ヘソ入賞数）が５個となる発生確率はＰｒ＝５（Ｅ）＝１６．３９１８％、同６個となる確率はＰｒ＝６（Ｅ）＝１６．５６６１％であり、設定分間入賞個数の６．０個近辺にピークが得られるが、ｒ＝５及びｒ＝６の確率は何れも１７％に満たない。
【００８５】
また、分間入賞個数（ヘソ入賞数）が０個となる発生確率はＰｒ＝０（Ｅ）＝０．２０５５％、同１個となる発生確率はＰｒ＝１（Ｅ）＝１．３１１６％であり、分間入賞個数（ヘソ入賞数）が０個か１個しか得られない確率は合計で１．５１７１％となる。これは、所謂止め打ち無しで連続的に球発射させた場合に、約６６分に１回程度の割合で生じる極端な入賞スランプということになり、遊技者は極めて大きなストレスを感じることになる。
【００８６】
一方、分間入賞個数（ヘソ入賞数）が８個以上となる発生確率は、Ｐｒ＝８（Ｅ）＝１０．５３６４％、Ｐｒ＝９（Ｅ）＝６．８７４８％、Ｐｒ＝１０（Ｅ）＝３．９９３２％、Ｐｒ＝１１（Ｅ）＝２．０８５４％等と、ある程度大きく、一見好ましいと錯覚しがちであるが、設定分間入賞個数の６．０個近辺の確率がさほど高くないことを埋め合わているに過ぎない。すなわち、Ｐｒ（Ｅ）をｒ＝０〜１００について合計した確率は１（１００％）であるため、ヘソ入賞が設定分間入賞個数の６．０個よりも少なくなる場合もある程度起こるし多くなる場合もある程度起こるというだけであり、まさしく入賞スランプが大きいことを意味する。
【００８７】
また、一般的にも、分間入賞個数（ヘソ入賞数）が必要以上に多くなっても、ソフト制御により短い図柄変動時間が選択されることが多くなると共に、リーチ等の興味深い演出の発生確率も減らされる制御をするのが通例のため、遊技者にとって面白い状態とは言えず、遊技性の向上には繋がらない。
【００８８】
図１５及び図１６は、図２の本発明仕様の遊技盤２の確率計算データである。球振分連結体Ｓｍの終段球振分装置Ｓ３から第１球ルート３１を経てほぼ１００％の高確率でヘソ始動口Ａｈに入賞することが見込まれる振分装置経由の分間３個のものを除き、第２球ルート３２に乗る球を含めて振分装置経由の分間３個以外の球は、図１１の一般的な従来仕様と同様に通常ルートからヘソ始動口Ａｈに向うものとして計算できる。振分装置経由の分間３個以外の通常ルートからの球による設定分間入賞個数は３．０個に設定している。
【００８９】
なお、振分装置経由の分間３個のヘソ入賞が起こる事象と、通常ルートから分間３個のヘソ入賞が起こる事情とは厳密には独立事象ではなく、以下の計算式において試行回数ｎ＝１００としているのは厳密には正しくない。しかし、数値への影響が軽微であることと、計算が複雑化するのを回避するため、独立事象とみなし、それぞれｎ＝１００として計算している。
【００９０】
通常ルートからヘソ始動口Ａｈへの入賞という事象Ｅが起こる確率（分間入賞率）はｐ＝３／１００＝０．０３０、その余事象が起こる確率つまりヘソ始動口Ａｈへの入賞しない確率（分間未入賞率）はｑ＝９７／１００＝０．９７０であり、この試行を分間試行回数ｎ＝１００回について繰り返すときに、事象Ｅ（ヘソ入賞）がｒ回起って分間入賞個数（ヘソ入賞数）がｒ個となる発生確率Ｐｒ（Ｅ）は、
Ｐｒ（Ｅ）＝ｎＣｒ・ｐ＊＊ｒ・ｑ＊＊（ｎ−ｒ）
となる。図１５及び１６は、これを分間入賞個数ｒ＝０，１，２，・・・１００について一覧表にしたものである。ただし、この一覧表は、振分装置経由の分間３個のものを除いて、通常ルートから見込むことができる分間３個についてのものである。
【００９１】
図１７及び図１８は、図２の本発明仕様の遊技盤２の振分装置経由の分間３個についての確率計算データである。球振分連結体Ｓｍの終段球振分装置Ｓ３から第１球ルート３１を経てほぼ１００％の高確率でヘソ始動口Ａｈに入賞することが見込まれる振分装置経由の分間３個のヘソ入賞を実現するには、初段球振分装置Ｓ１の入口ＩＮに分間２４個の球を受入れる必要がある。よって、球振分連結体Ｓｍに対する設定分間受入個数は２４．０個に設定している。
【００９２】
初段球振分装置Ｓ１の入口ＩＮに球が受入れられるという事象Ｅが起こる確率（分間受入率）はｐ＝２４／１００＝０．２４０、その余事象が起こる確率つまり初段球振分装置Ｓ１の入口ＩＮに球が受入れられない確率（分間未受入率）はｑ＝７６／１００＝０．７６０であり、この試行を分間試行回数ｎ＝１００回について繰り返すときに、事象Ｅがｒ回起こる発生確率Ｐｒ（Ｅ）は、
Ｐｒ（Ｅ）＝ｎＣｒ・ｐ＊＊ｒ・ｑ＊＊（ｎ−ｒ）
となる。図１７及び１８は、これをｒ＝０，１，２，・・・１００について一覧表にしたものである。
【００９３】
ところで、球振分連結体Ｓｍの終段球振分装置Ｓ３から第１球ルート３１を経てほぼ１００％の高確率でヘソ始動口Ａｈに入賞するのは、初段球振分装置Ｓ１の入口ＩＮに球が８個受入れられる毎に起こる。よって、次のとおりの合算が必要となる。
【００９４】
図１９に示すように、
初段球振分装置Ｓ１の入口ＩＮへの分間受入個数が０〜７個の場合、振分装置経由のヘソ入賞数は０となり、このヘソ入賞数０の発生確率は確率Ｐｒ（Ｅ）のｒ＝０〜７の合算値となる。
初段球振分装置Ｓ１の入口ＩＮへの分間受入個数が８〜１５個の場合、振分装置経由のヘソ入賞数は１となり、このヘソ入賞数１の発生確率は確率Ｐｒ（Ｅ）のｒ＝８〜１５の合算値となる。
初段球振分装置Ｓ１の入口ＩＮへの分間受入個数が１６〜２３個の場合、振分装置経由のヘソ入賞数は２となり、このヘソ入賞数２の発生確率は確率Ｐｒ（Ｅ）のｒ＝１６〜２３の合算値となる。
【００９５】
以下、同様である。ただし、ｎ＝１００のため、初段球振分装置Ｓ１の入口ＩＮへの分間受入個数が９６〜１００個の場合、振分装置経由のヘソ入賞数は１２となり、このヘソ入賞数１２の発生確率は確率Ｐｒ（Ｅ）のｒ＝９６〜１００の合算値となる。ヘソ入賞数が１３以上となる確率は０となる。
【００９６】
図２０に示すように、通常ルートからのヘソ入賞と振分装置経由のヘソ入賞とを合わせたトータルヘソ入賞数が０となるのは、「通常ルートからのヘソ入賞数」と「振分装置経由のヘソ入賞数」の組合せが（０，０）の場合であり、そのトータル発生確率は、「通常ルートからのヘソ入賞数０の発生確率」×「振分装置経由のヘソ入賞数０の発生確率」＝４．７５５３％×０．０００８％≒０．００００％となり、トータルヘソ入賞数が０となるのはこの場合のみであるからトータルでのヘソ入賞数別発生確率も０．００００％となる。
【００９７】
トータルヘソ入賞数が１となるのは、「通常ルートからのヘソ入賞数」と「振分装置経由のヘソ入賞数」の組合せが（０，１）（１，０）の場合であり、（０，１）の発生確率は「通常ルートからのヘソ入賞数０の発生確率」×「振分装置経由のヘソ入賞数１の発生確率」＝４．７５５３％×１．９４３１％≒０．０９２４％、（１，０）の発生確率は「通常ルートからのヘソ入賞数１の発生確率」×「振分装置経由のヘソ入賞数０の発生確率」＝１４．７０７０％×０．０００８％≒０．０００１％となり、トータルでヘソ入賞数が１となるヘソ入賞数別発生確率はこれらを合算した０．０９２５％となる。
【００９８】
トータルヘソ入賞数が２となるのは、「通常ルートからのヘソ入賞数」と「振分装置経由のヘソ入賞数」の組合せが（０，２）（１，１）（２，０）の場合であり、（０，２）の発生確率は「通常ルートからのヘソ入賞数０の発生確率」×「振分装置経由のヘソ入賞数２の発生確率」＝４．７５５３％×４４．２０１０％≒２．１０１９％、（１，１）の発生確率は「通常ルートからのヘソ入賞数１の発生確率」×「振分装置経由のヘソ入賞数１の発生確率」＝１４．７０７０％×１．９４３１％≒０．２８５８％、（２，０）の発生確率は「通常ルートからのヘソ入賞数２の発生確率」×「振分装置経由のヘソ入賞数０の発生確率」＝２２．５１５３％×０．０００８％≒０．０００２％となり、トータルでヘソ入賞数が２となるヘソ入賞数別発生確率はこれらを合算した２．３８７８％となる。
【００９９】
以下、同様の手順により計算でき、
トータルでヘソ入賞数が３となる発生確率は  ９．２９６４％、
トータルでヘソ入賞数が４となる発生確率は１７．８８８７％、
トータルでヘソ入賞数が５となる発生確率は２２．１７５９％、
トータルでヘソ入賞数が６となる発生確率は１９．９７６４％、
トータルでヘソ入賞数が７となる発生確率は１４．００４９％、
トータルでヘソ入賞数が８となる発生確率は  ７．９８６０％となる。
【０１００】
図２１についても、同様であり、
トータルでヘソ入賞数が  ９となる発生確率は３．８１９４％、
トータルでヘソ入賞数が１０となる発生確率は１．５６６８％、
トータルでヘソ入賞数が１１となる発生確率は０．５６０９％、
トータルでヘソ入賞数が１２となる発生確率は０．１７７６％となる。
【０１０１】
図２２についても、同様であり、
トータルでヘソ入賞数が１３となる発生確率は０．０５０３％、
トータルでヘソ入賞数が１４となる発生確率は０．０１２８％、
トータルでヘソ入賞数が１５となる発生確率は０．００３０となる。
【０１０２】
図２３についても、同様であり、
トータルでヘソ入賞数が１６となる発生確率は０．０００６％、
トータルでヘソ入賞数が１７となる発生確率は０．０００１％となる。
【０１０３】
図２４についても、同様であり、
トータルでヘソ入賞数が１８となる発生確率は０．００００％、
トータルでヘソ入賞数が１９となる発生確率は０．００００％となる。
トータルでヘソ入賞数が２０以上となる発生確率も限りなく０に近い無視できる確率となる。
【０１０４】
図２５に示すように、本発明仕様の場合、分間入賞個数（ヘソ入賞数）が５個となる発生確率は２２．１７５９％、同６個となる確率は１９．９７６４％であり、設定分間入賞個数の６．０個近辺にピークが得られ、約２０％の比較的高い値となる。
【０１０５】
また、分間入賞個数（ヘソ入賞数）が０個となる発生確率は０．００００％、同１個となる発生確率は０．０９２５％であり、分間入賞個数（ヘソ入賞数）が０個か１個しか得られない確率は合計で０．０９２５％と低い。これは、所謂止め打ち無しで連続的に球発射させた場合に、約１０８１分に１回程度の割合で生じる稀なケースとなる。
【０１０６】
さらに、分間入賞個数（ヘソ入賞数）が８個以上となる発生確率は、８個では７．９８６０％、９では３．８１９４％、１０個では１．５６６８％、１１個では０．５６０９等と、必要以上に高くなく、短い図柄変動時間が選択されたり、リーチ等の興味深い演出の発生確率も減らされるのマイナス面も低減できる。
【０１０７】
図２６に示すように、本発明仕様と従来仕様とを対比すると一層その効果が明白となる。すなわち、設定分間入賞個数に近い４〜６個のヘソ入賞の発生確率を比較すると、本発明仕様が従来仕様よりも高く、安定的に始動入賞が得られ、長期間の遊技中に始動入賞が極端に少な過ぎたり、必要以上に多くなることもなく、遊技者に与える心理的ストレスを抑制できる。
【０１０８】
以上の本発明仕様では、「通常ルートからのヘソ入賞数」を３個、「振分装置経由のヘソ入賞数」を３個の１：１の割振りとしたが、「通常ルートからのヘソ入賞数」を２個、「振分装置経由のヘソ入賞数」を４個の１：２の割振りとしてもよい。これには、球受入ルート４の第１釘４１と第２釘４２との間隔を第２釘４２と第３釘４３との間隔よりもやや広くするゲージ構成により、初段球振分装置Ｓ１の入口ＩＮに分間３２個の球が受入れられるようにし、センターステージ３０における第２球ルート３２の中央部の高さを少し高くする等により実現できる。
【０１０９】
逆に、「通常ルートからのヘソ入賞数」を４個、「振分装置経由のヘソ入賞数」を２個の２：１の割振りとしてもよく、これには、球受入ルート４の第１釘４１と第２釘４２との間隔を第２釘４２と第３釘４３との間隔よりもやや狭くするゲージ構成により、初段球振分装置Ｓ１の入口ＩＮに分間１６個の球が受入れられるようにし、センターステージ３０における第２球ルート３２の中央部の高さを少し低くする等により実現できる。なお、トータルでの分間入賞個数も６個ではなく、５個や７個等としても勿論よい。
【０１１０】
図２７の例２に示すように、各球振分装置Ｓは独立した球振分装置本体５に設けるのではなく、センターユニット３に一体的に設けてもよい。
【０１１１】
図２８に示すように、センターユニット３における装飾枠３３の左側には、球振分連結体Ｓｍを構成する各段の球振分装置Ｓ１，Ｓ２，Ｓ３の右振分球を下方に案内する右側球ガイド壁３５１ａ，３５１ｂ，３５１ｃ及び左振分球を下方に案内する左側球ガイド壁３５２ａ，３５２ｂ，３５２ｃ、各羽根車Ｆを支持するベース３５３ａ，３５３ｂ，３５３ｃを一体に設けている。初段球振分装置Ｓ１の入口ＩＮに対応した開口部３５０に、案内突片４５，４６を一体に設けている。球受入ルート４の物理的配置自体は、図３のものと同じである。
【０１１２】
図２９に示すように、各ベース３５３ａ，３５３ｂ，３５３ｃの後方には羽根車Ｆの軸部Ｚの後方延長軸Ｊを支持する軸受３５６ａ，３５６ｂ，３５６ｃを一体に設けている。
【０１１３】
図３０に示すように、センターステージ３０の奥行方向奥側に設ける第１球ルート３１上に、ほぼ１００％入賞が確実で、この入賞により第１特別図柄に係る大当り抽選を実行させるステージ始動口Ａｓを開口している。ステージ始動口Ａｓは、後方側球レーン３１ｄの中央部の球溝３１ｅに直結する横穴３１ｈ及び縦穴３１ｉ並びに下部ブロック３１ｋに設ける球通路３１ｊから構成される。
【０１１４】
その他の構成は図２〜６の例１と同様である。例２では球振分連結体Ｓｍを構成する各段の球振分装置Ｓをセンターユニット３に一体化したため、独立した球振分装置本体５を用いた場合のような取付誤差等の影響もなく、振分けた球の受け継ぎを特に良好にできるメリットが得られる。また、第１球ルート３１の上にステージ始動口Ａｓを開口したため、振分装置経由の分間３個の入賞をより確実に見込むことができる。ただし、例２において、センターステージ３０の構成を図６の例１と同一にしてもよい。
【０１１５】
なお、ステージ始動口Ａｓは、第２特別図柄に係る大当り抽選を実行させる始動口としてもよい。特に、第２特別図柄に係る大当り抽選での当選時に決定する出玉仕様及び又は時短仕様と、第１特別図柄に係る大当り抽選での当選時に決定する出玉仕様及び又は時短仕様とがほとんど変らない或いは大差のない場合、第１特別図柄と第２特別図柄とを合わせた最大８個の保留球を貯めることができる点で遊技者により有利となる。
【０１１６】
図３１の例３に示すように、球振分連結体Ｓｍは、遊技盤２の左領域に流下させる左打ちの球を受入れる左側球振分連結体ＳｍＬと、遊技盤２の右領域に流下させる右打ちの球を受入れる右側球振分連結体ＳｍＲとから成るものとしてもよい。左側球振分連結体ＳｍＬは図２８の例２と同一であり、右側球振分連結体ＳｍＲは左側球振分連結体ＳｍＬを左右に反転させた構成となる。
【０１１７】
図３２に示すように、右側球振分連結体ＳｍＲは、左側球振分連結体ＳｍＬすなわち図２８のものとは左右対称に各構成要素を配置している。左側球振分連結体ＳｍＬにおける左右の関係は、遊技者側から遊技盤２を見たものであるのに対して、右側球振分連結体ＳｍＲにおける左右の関係は、遊技盤２から遊技者側を見たものとなる。右側球振分連結体ＳｍＲの初段球振分装置Ｓ１の入口部に設ける球受入ルート４も、図２８のものを左右に反転させたゲージ構成としており、初段球振分装置Ｓ１の入口ＩＮには分間２４個の球受入れが見込めるようにしている。
【０１１８】
図３３に示すように、右側球振分連結体ＳｍＲは、左側球振分連結体ＳｍＬすなわち図２９のものとは左右対称に各構成要素を配置している。
【０１１９】
図３４に示すように、センターステージ３０の構成は、図６の左側の構成とこれを反転させて右側の構成とした左右対称構造であり、第１球ルート３１には、左右の終段球振分装置Ｓ３の一方側出口Ｏ１から出た球を転動させ、第２球ルート３２には、左右の終段球振分装置Ｓ３の他方側出口Ｏ２から球を転動させる。
【０１２０】
例３の場合、左打ち時も、右打ち時も、何れの場合にも、ヘソ始動口Ａｈに対する入賞スランプを抑制できる。なお、例３においても、第１球ルート３１の上に例２のようなステージ始動口Ａｓを開口してもよい。
【０１２１】
図３５の例４に示すように、球振分連結体Ｓｍは、初段球振分装置Ｓ１、上中段球振分装置Ｓ２、下中段球振分装置Ｓ３、終段球振分装置Ｓ４の４段構成にしてもよい。４段構成のため、終段球振分装置Ｓ４での振分率は１／１６であり、第１球ルート３１から高確率で始動入賞が見込める振分装置経由の分間入賞数を３個、その他の通常ルートからの分間入賞数を３個、合計の分間入賞数６個を実現するため、球受入ルート４により初段球振分装置Ｓ１に受入れる設定受入率を４８／１００にしている。
【０１２２】
図３６に示すように、球受入ルート４における第１釘４１と第２釘４２の下方に、初段球振分装置Ｓ１の入口ＩＮに球を向かわせる第４下部釘４４ａと第４中間釘４４ｂと第４上部釘４４ｂとを斜めに連設しており、左打ちの球１００個のうち、第１釘４１と第２釘４２の間から流下する４８個の球が案内突片４５，４６の間から初段球振分装置Ｓ１の入口ＩＮに到達できるようにしている。なお、第４下部釘４４ａと第４中間釘４４ｂと第４上部釘４４ｂとは、案内突片４５，４６に球を誘導させる傾斜面をもつ樹脂パーツ等で置換してもよい。
【０１２３】
終段球振分装置Ｓ４以外の上方側の球振分装置Ｓ１，Ｓ２，Ｓ３は、その羽根車Ｆの軸部Ｚを、遊技盤２の盤面に対して略垂直に配置しており、それぞれ、第１出口Ｏ１と第２出口Ｏ２とを遊技盤２の左右に変位させている。終段球振分装置Ｓ４は、その羽根車Ｆの軸部Ｚを遊技盤２の盤面に対して略平行に配置しており、その第１出口Ｏ１と第２出口Ｏ２とを遊技盤２の前後に変位させている。第１球ルート３１の入口となる第１球受口３１ａと第２球ルート３２の入口となる第２球受口３２ａも遊技盤２の前後に変位させている。センターユニット３における装飾枠３３の左側下方には、終段球振分装置Ｓ４の羽根車Ｆの前側（図では左側）に対応させて球ガイド壁３５２ｄを設けていると共に、終段球振分装置Ｓ４の羽根車Ｆの後側（図では右側）に対応させてベース３５３ｄ及び軸受３５６ｄを設けている。
【０１２４】
図３７に示すように、終段球振分装置Ｓ４以外の上方側の球振分装置Ｓ１，Ｓ２，Ｓ３の羽根車Ｆについて、上段側に対して下段側を遊技盤２の前後方向後ろ側に順次変位させて配置している。球振分装置Ｓ１，Ｓ２，Ｓ３のベース３５３ａ，３５３ｂ，３５３ｃは、段差部３５７ａ，３５７ｂ，３５７ｃで連続させている。球振分装置Ｓ１，Ｓ２，Ｓ３の各羽根車Ｆの前側（図では左側）に対応させて、各段所定厚みの透明な前カバー３５８ａ，３５８ｂ，３５８ｃを配置している。３５９０は透明な共通前カバーである。終段球振分装置Ｓ４の前側（図では左側）に対応させて透明な前側球ガイド壁３５９ｆを設けていると共に、終段球振分装置Ｓ４の後側（図では右側）に対応させて透明な後側球ガイド壁３５９ｇを設けている。初段球振分装置Ｓ１の入口ＩＮに対応した矩形筒３５４に、案内突片４５，４６を一体に設けている。
【０１２５】
なお、例４においても、遊技盤２に透明セル盤を用い、球振分連結体Ｓｍを遊技盤２の裏側に配置してもよい。この場合、終段球振分装置Ｓ４の羽根車Ｆは、透明又は半透明材料で形成するか、或は、その前後幅（図３７では紙面奥行方向の幅）を球の直径よりも小さくし、球挙動の視認性を極力妨げない構成にするのが好ましい。
【０１２６】
図３８に示すように、センターステージ３０の構成は、図６と同一であるが、第１球ルート３１における第１球受口３１ａと後方側球レーン３１ｄとを結ぶ接続通路３１ｂと、第２球ルート３２における第２球受口３２ａと前方側球レーン３２ｄとを結ぶ接続通路３１ｂとは、平面視で互いに交差することもなく、ともに短いＬ字形の通路で構成している。
【０１２７】
例４の場合、終段球振分装置Ｓ４から第１球ルート３１を経て高確率で始動入賞が得られる単位時間あたりの球数の変動をより小さくでき、入賞スランプの抑制効果を高めることができる。なお、例４の図３８において、後方側球レーン３１ｄに図３０のようなステージ始動口Ａｓを開口してもよい。
【０１２８】
図３９の例５に示すように、４段構成とした球振分連結体Ｓｍについても、遊技盤２の左領域に流下させる左打ちの球を受入れる左側球振分連結体ＳｍＬと、遊技盤２の右領域に流下させる右打ちの球を受入れる右側球振分連結体ＳｍＲとから成るものとしてもよい。左側球振分連結体ＳｍＬは図３６の例４と同一である。
【０１２９】
図４０に示すように、右側球振分連結体ＳｍＲの入口部に設ける球受入ルート４は、分間受入個数を２４個とした３段構成の図３２のものと同一としている。この一方で、右側球振分連結体ＳｍＲは４段構成にしている、このため、右側球振分連結体ＳｍＲの第１球ルート３１から高確率で始動入賞が見込める振分装置経由の分間入賞数は１．５個となる。右打ちが推奨される時短時は、入賞スランプの抑制効果は小さくても良いことに基づく。
【０１３０】
図４１に示すように、右側球振分連結体ＳｍＲは、左側球振分連結体ＳｍＬすなわち図３７のものとは左右対称に各構成要素を配置している。
【０１３１】
図４２に示すように、センターステージ３０の構成は、図３８の左側の構成とこれを反転させて右側の構成とした左右対称構造であり、第１球ルート３１には、左右の終段球振分装置Ｓ４の一方側出口Ｏ１から出た球を転動させ、第２球ルート３２には、左右の終段球振分装置Ｓ４の他方側出口Ｏ２から球を転動させる。なお、第１球ルート３１の上にステージ始動口Ａｓを開口してもよい。
【０１３２】
図４３の例６に示すように、球振分連結体Ｓｍは、遊技盤２の右領域に流下させる右打ちの球を受入れる右側球振分連結体ＳｍＲのみとしてもよい。センターユニット３の左側の構造は、ワープルート入口３４から取込んだ球をワープルート３５を経てワープルート出口３６からセンターステージ３０の奥行方向前方に設ける球レーン３７に放つ。球レーン３７は、左右両端から一旦中央に向けて下り勾配となり、中央部で上り勾配に転じる。高位の中央部には奥に開口する球穴３８から一旦に球を取込み、球出口３９からヘソ始動口Ａｈの直上から球を放出する。左打ち時は、図１１の対比例と同様に分間入賞数は６個を見込んでいる。
【０１３３】
図４４及び図４５に示すように、右側球振分連結体ＳｍＲの構成自体は、図４０及び図４１と同一である。ただし、センターステージ３０における第１球ルート３１上に、第２特別図柄に係る大当り抽選を実行させるステージ始動口Ｂｓを開口している。
【０１３４】
図４６に示すように、ワープルート３５からの球レーン３７と第２球ルート３２の前方側球レーン３２ｄとは、中央部の平坦部３７０で連続させている。平坦部３７０から後方に、左右に球ガイド３８１，３８２をもつ球ブリッジ３８０を、第１球ルート３１の後方側球レーン３１ｄの上を跨いで掛け渡し、球ブリッジ３８０に乗る球を、球穴３８から後方連通路３８３、球出口３９を経て、ヘソ始動口Ａｈの真上から放出する。ヘソ始動口Ａｈは、第１特別図柄に係る大当り抽選を実行させる。
【０１３５】
例６の場合、４段構成の右側球振分連結体ＳｍＲの第１球ルート３１から高確率で始動入賞が見込める振分装置経由の分間入賞数は１．５個に過ぎず、時短でない時、あえて右打ちするメリットは少ない。しかし、左打ちにより一旦大当りに当選できると、その大当り遊技中に右打ちに変更することにより、少なくとも一個以上の第２特別図柄に係る保留球を確保することができる。このため、大当り遊技終了直後に第２特別図柄の保留球がないことにより第１特別図柄の保留球に基づいて価値の低い大当りが生起されてしまうリスクを回避できる。
【０１３６】
なお、例６の場合、第２球ルート３２の前方側球レーン３２ｄは、セパレータ等によりワープルート３５からの球レーン３７と分断して非連続とし、かつ、第２球ルート３２の前方側球レーン３２ｄ上の球をヘソ始動口Ａｈに向わないようにアウト口２９へ向けて落下させるか、或は、前方側球レーン３２ｄ上にアウト球として処理する別個独立のアウト口を設けることにより、右側球振分連結体ＳｍＲ経由では、第２特別図柄に係る保留球を確保するも、第１特別図柄に係る保留球は貯めない仕様にしてもよい。
【０１３７】
図４７の例７に示すように、左側球振分連結体ＳｍＬは例２と同様に３段構成とし、右側球振分連結体ＳｍＲは例６と同様に４段構成とし、センターステージ３０における第１球ルート３１の後方側球レーン３１ｄを中央右寄りの位置でセパレータ３１０により分断する構成にしてもよい。
【０１３８】
図４８及び図４９に示すように、右側球振分連結体ＳｍＲの構成自体は、図４４及び図４５と同一である。センターステージ３０におけるセパレータ３１０の右側に位置する第１球ルート３１上には、第２特別図柄に係る大当り抽選を実行させるステージ始動口Ｂｓを開口している。
【０１３９】
図５０に示すように、センターステージ３０におけるセパレータ３１０の左側の構成は、図６と同一である。
【０１４０】
例７の場合、左打ち時の入賞スランプを効果的に抑制できると共に、大当り遊技中に右打ちすることにより、大当り遊技終了直後に第２特別図柄の保留球がないことにより第１特別図柄の保留球に基づいて価値の低い大当りが生起されてしまうリスクも回避できる。
【０１４１】
なお、例７の場合も、第２球ルート３２の前方側球レーン３２ｄを中央右寄りの位置でセパレータにより分断し、かつ、分断した右側に位置する前方側球レーン３２ｄ上の球をヘソ始動口Ａｈに向わないようにアウト口２９へ向けて落下させるか、或は、分断した右側の前方側球レーン３２ｄ上にアウト球として処理する別個独立のアウト口を設けることにより、右側球振分連結体ＳｍＲ経由では、第２特別図柄に係る保留球を確保するも、第１特別図柄に係る保留球は貯めない仕様にしてもよい。
【０１４２】
図５１の例８に示すように、球振分連結体Ｓｍは、初段球振分装置Ｓ０、上中段球振分装置Ｓ１、中中段球振分装置Ｓ２、下中段球振分装置Ｓ３、終段球振分装置Ｓ４の５段構成にしてもよい。５段構成のため、終段球振分装置Ｓ４での振分率は１／３２であり、第１球ルート３１から高確率で始動入賞が見込める振分装置経由の分間入賞数を３個、その他の通常ルートからの分間入賞数を３個、合計の分間入賞数６個を実現するため、球受入ルート４により初段球振分装置Ｓ０に受入れる設定受入率を９６／１００にしている。
【０１４３】
図５２に示すように、球受入ルート４は、左打ちの球のほとんどを初段球振分装置Ｓ０の入口ＩＮに向かわせることができる、第５釘４５、第６釘４６、第７釘４７、第８釘４８、装飾枠３３の左上に一体化する球ガイド３５００を主要構成要素としている。ＮＲ１は、初段球振分装置Ｓ０の第２出口Ｏ２以外の部分の球経路に沿って連設した連設釘である。左打ちの球１００個のうち、そのほとんどの９６個が初段球振分装置Ｓ０の入口ＩＮに到達できるようにしている。球ガイド３５００は、初段球振分装置Ｓ０の右振分球を下方に案内する右側球ガイド壁３５１０を兼ねる。連設釘ＮＲ１は、初段球振分装置Ｓ０の左振分球を下方に案内する。上中段球振分装置Ｓ１よりも下の構成は、図３６と同一である。
【０１４４】
図５３に示すように、初段球振分装置Ｓ０の羽根車Ｆは、上部ベース３５３０の軸受３５６０に支持しており、上部ベース３５３０とその下方のベース３５３ａは、段差部３５７０で連続させている。上中段球振分装置Ｓ１よりも下の構成は、図３７と同一である。センターステージ３０の構成は、図３８と同一である。
【０１４５】
例８の場合、終段球振分装置Ｓ４から第１球ルート３１を経て高確率で始動入賞が得られる単位時間あたりの球数の変動をより一層小さくでき、入賞スランプの抑制効果をより一層高めることができる。なお、例８においても、第１球ルート３１の後方側球レーン３１ｄに図３０のようなステージ始動口Ａｓを開口してもよい。
【０１４６】
図５４の例９に示すように、５段構成の左側球振分連結体ＳｍＬに、３段構成の右側球振分連結体ＳｍＲを組合せてもよい。また、図示は省略するが、５段構成の左側球振分連結体ＳｍＬに、４段構成の右側球振分連結体ＳｍＲを組合せてもよいし、５段構成の右側球振分連結体ＳｍＲを組合せてもよい。
【０１４７】
図５５に示すように、５段構成の左側球振分連結体ＳｍＬに３段構成の右側球振分連結体ＳｍＲを組合せた場合、センターステージ３０の左側の構成は図３８と同一となり、同右側の構成は図３４と同一となる。
【０１４８】
以上の各例における確率や個数、時間、出玉等についての数値は一例示に過ぎない。
【０１４９】
また、マックスタイプ以外にも、所謂ミドルタイプやライトタイプ、ライトミドルタイプ等の各種機種に適用できる。さらに、球通過ゲートＧＴへの球通過、普通図柄の変動、その当選による普通電動役物８の作動、開かれた可動片８１，８２を介しての始動入賞、この始動入賞に基づく特別図柄が特定図柄で大当り、無制限或は所定の多数回数についての時短への突入（所謂ラッシュ突入）といったスペックをもつ機種にも適用可能である。
【産業上の利用可能性】
【０１５０】
主に、風俗営業等の規制及び業務の適正化等に関する法律第２条第１項第７号のぱちんこ屋や同８号の店舗等の営業に供される遊技機の産業分野において有用である。
【符号の説明】
【０１５１】
２；遊技盤
３；センターユニット
３０；センターステージ
３１；第１球ルート
３２；第２球ルート
４；球受入ルート
５；球振分装置本体
６１；進入阻止部
６２；進入低減部
７；演出表示装置
８；普通電動役物
８１；（左）可動片
８２；（右）可動片
９１；第１大入賞口
９２；第２大入賞口
Ａｈ；ヘソ始動口（他の抽選契機口）
Ａｓ；第１特別図柄に係るステージ始動口（一の抽選契機口）
Ｂｄ；役物始動口
Ｂｓ；第２特別図柄に係るステージ始動口（一の抽選契機口）
Ｓ；球振分装置
Ｓ１；初段球振分装置
Ｓ２；中段球振分装置
３段の場合のＳ３；終段球振分装置
４段又は５段の場合のＳ４；終段球振分装置
５段の場合のＳ０；初段球振分装置
Ｓｍ；球振分連結体
ＩＮ；入口
Ｏ１；第１出口
Ｏ２；第２出口
Ｆ；羽根車
Ｆ０；垂直羽根
Ｆ１；右下り羽根
Ｆ２；左下り羽根
Ｚ；軸部
ＧＴ；球通過ゲート
【図１】
2015173926.tif 000003
【図２】
2015173926.tif 000004
【図３】
2015173926.tif 000005
【図４】
2015173926.tif 000006
【図５】
2015173926.tif 000007
【図６】
2015173926.tif 000008
【図７】
2015173926.tif 000009
【図８】
2015173926.tif 000010
【図９】
2015173926.tif 000011
【図１０】
2015173926.tif 000012
【図１１】
2015173926.tif 000013
【図１２】
2015173926.tif 000014
【図１３】
2015173926.tif 000015
【図１４】
2015173926.tif 000016
【図１５】
2015173926.tif 000017
【図１６】
2015173926.tif 000018
【図１７】
2015173926.tif 000019
【図１８】
2015173926.tif 000020
【図１９】
2015173926.tif 000021
【図２０】
2015173926.tif 000022
【図２１】
2015173926.tif 000023
【図２２】
2015173926.tif 000024
【図２３】
2015173926.tif 000025
【図２４】
2015173926.tif 000026
【図２５】
2015173926.tif 000027
【図２６】
2015173926.tif 000028
【図２７】
2015173926.tif 000029
【図２８】
2015173926.tif 000030
【図２９】
2015173926.tif 000031
【図３０】
2015173926.tif 000032
【図３１】
2015173926.tif 000033
【図３２】
2015173926.tif 000034
【図３３】
2015173926.tif 000035
【図３４】
2015173926.tif 000036
【図３５】
2015173926.tif 000037
【図３６】
2015173926.tif 000038
【図３７】
2015173926.tif 000039
【図３８】
2015173926.tif 000040
【図３９】
2015173926.tif 000041
【図４０】
2015173926.tif 000042
【図４１】
2015173926.tif 000043
【図４２】
2015173926.tif 000044
【図４３】
2015173926.tif 000045
【図４４】
2015173926.tif 000046
【図４５】
2015173926.tif 000047
【図４６】
2015173926.tif 000048
【図４７】
2015173926.tif 000049
【図４８】
2015173926.tif 000050
【図４９】
2015173926.tif 000051
【図５０】
2015173926.tif 000052
【図５１】
2015173926.tif 000053
【図５２】
2015173926.tif 000054
【図５３】
2015173926.tif 000055
【図５４】
2015173926.tif 000056
【図５５】
2015173926.tif 000057